(57)【要約】【課題】四つの力の統一検証装置の製作。本発明の課題は、自然の現象である重力、弱い力、電磁気力、核力に至る、それぞれが相互作用をしない、閉じたエネルギー順位の存在を、連続した穏やかなエネルギー発生として、取り出す、方法と装置を提供することにある。【解決手段】固定子空間の入力エネルギーに対し、高エネルギーを内在する異四次元である移動空間でのエネルギーを、当四次元である固定子空間に出力回帰させ、取り出す方法装置に於いて、ギア群で構成する遊星ギアのインターナルギアとキャリアの間である銀河空間に、入力エネルギーを固定子空間から供給するために、織星ギアと第一の車輪と連動する銀河歯車群を用いて入力し、遊星歯車群を経て当四次元に出力回帰させることを手段とし、移動空間の異四次元高エネルギーを得る方法及び装置での土台である銀河歯車。この銀河歯車を土台とする三体モータ。【選択図】図１
2010193697.tif 000002
【特許請求の範囲】
【請求項１】
固定子と回転子の間で電磁相互作用をするモータにおいて、固定子を２分割し、回転子が回転すると共に、二分割した固定子が、固定を離れ、回転子に抗せず移動自在とする、三体の間で電磁相互作用する三体モータ。
【請求項２】
上記三体モータの内の、二体が、同心円上に二つの大円を構成し、二体の大円の間に回転軸中心を構成し、連動する少なくとも一つの回転子がある、三体モータ。
【請求項３】
太陽歯車と内歯大歯車との間に小歯車である遊星歯車を具備し、小歯車支持円盤である地動盤との四体で構成する遊星歯車群において上記地動盤外円部に歯車を形成し、地動歯車とし、上記内歯大歯車と地動歯車を相互作用させる小歯車を、織星歯車とし、内歯大歯車と地動歯車と織星歯車で銀河を構成する。
上記織星歯車の支持円盤を天道盤とし、織星歯車に力を印加する歯車を太陽歯車と同軸とする第一の歯車とする７体で構成する歯車群を銀河歯車群とする。
【請求項４】
上記銀河歯車群内である織星歯車と内歯大歯車と地動歯車の三体が相互作用をする請求項１の三体モータであり、織星歯車が回転子であり、内歯大歯車と地動歯車と同軸で、回転子に対し抗せず、自由回転する二体の磁極とで構成する三体モータである銀河モータ。
【請求項５】
請求項１の三体モータが、回転子が遊星歯車とし、二つの磁極が内歯大歯車と太陽歯車と回転軸中心を同じくする二体とで構成される三体モータである遊星モータ。
【請求項６】
銀河歯車群の中に請求項３の銀河モータと請求４の遊星モータを具備するモータ群である、銀河回帰モータ。
【請求項７】
銀河モータの第一の車輪と固定子の間で相互作用をするモータを具備する銀河モータ。
【請求項８】
銀河モータの内歯大歯車と固定子の間で相互作用をするモータを具備する遊星モータ。
【発明の詳細な説明】
【発明の詳細な説明】
【技術分野】
【０００１】本発明は回転駆動装置を有する様々な装置において用いられる回転システムに関する。
【背景技術】
【０００２】自然界では重力、弱い力、電磁気力、核力と言うそれぞれ相互作用しない系で閉じた四つの力が有る。
エネルギー保存則で閉じた系を超える方法は、爆縮という形で発散する原子力以外の利用方法を人類は知識として知らない。
核力の次の高エネルギーである電磁気力も、重力場での効率１を超えられないと言う不文律、３５０年も前の熱エネルギー法則理論、非可逆性の法則の呪縛、エネルギー保存則の常識の中に埋没し、その内在し持てるエネルギーを発揮できない。
保存則では説明できないものには目を瞑ると言う、自然を曇りなき目で見ることを妨げる、悪しき習慣がある。
具体的には工業試験所で効率１を超える成績証明は出せないと言うことがある。
理由は理論を知らないと言うことで、どこの馬の骨か分らない者の理論なんか知るものかということでした。解けない法則で解こうとする愚かさ、思い上がりが其処には在る。
移動空間の相互作用と固定空間の相互作用と二つの幾何学あるいは力学を同時に扱う統一概念が無い。
移動空間と固定空間の間の相互作用する力学が未開拓、未統一であることが原因である。【０００３】一般的にモータの回転子と固定子の間の二次元面でのみ電磁気力を捕らえ、三次元空間で捕らえる概念も乏しい。
更に深くは、電磁気力の三次元がよって立つ、固定子の固定の次元を含む四次元の概念が無い。【０００４】移動中の異四次元のエネルギーを利用する方法も未分化の世界である。異四次元の概念も乏しい。一般的にモータの構造はすでに開発されつくしていると言う一人よがりな思い上がりが世界を充満している。【０００５】これらの一部を解決する方法として、遊星歯車の、同軸線上で回転する三重モータの回転体内で相互作用させるモータ、特許３９６０３６０が在る。
【発明の開示】
【発明が解決しょうとする課題】
【０００６】第一の課題は；二体が相対的に相互作用をし、回転とトルクの積の総数が１である閉じた空間の従来のモータに加え、移動する高エネルギーである別空間と相互作用する三体モータを提供することに懸かる。
より具体的には、本発明の第一の課題として、モータの構造に掛り、互いに自由に平行移動する磁極を二体とし、この二体の磁極の中心上でコイルを具備する電機子である回転子が回る三体モータを具現することに掛かる。
電磁気力としての課題は、電磁気力の電と磁と力が一体で、それぞれが総数１である、それぞれをばらばらにし、個々に取り出すことを課題としている。
【０００７】第二の課題は、請求項１の三体モータを円筒状内に構築し、実用可能なモータとすることを課題としている。
より具体的には、上記無限円に平行移動する二体の磁極を、同一中心軸の円構造とする。
この二体に対し、別回転軸中心を上記二体の間に軸中心を持つ、回転子を具備する方法に掛かる。
【０００８】第三の課題は、三体モータを構築し力を取り出す上台の構造に掛かる。
より詳しくは、互いに平行移動する二体の内、一体が遊星歯車支持円盤と同体の地動歯車と、他体が内歯大歯車とする。
この二体と相互作用をする回転子である、織星歯車との三体で銀河を構成する。
この三体で構成するモータ土台の、織星歯車に入力する方法としての課題、織星歯車支持方法の課題、織星歯車に入力する方法構造である。総じて三体モータを構築し力を伝達する土台の構造である銀河歯車に掛かる。
【０００９】第四の課題は、銀河歯車内の織星歯車の土台を元に、請求項１の三体モータを構築する構造、銀河モータの方法に掛かる。
【００１０】第五の課題は、遊星歯車の元に、請求項１の三体モータを構築する構造、遊星モータの方法に掛かる。
【００１１】第六の課題は、銀河歯車の中に遊星モータと銀河モータを具備する銀河回帰モータの構造方法に掛かる。
【００１２】第七の課題は、銀河歯車への固定子側からの入力が固定子と第一の車輪の間の相互作用をするモータであることを課題している。
【００１３】第八の課題は、内歯大歯車と固定子の間で相互作用をするモータを具備する遊星モータの構築を課題としている。
【課題を解決するための手段】
【００１４】第一の課題である請求項１の三体モータを具現する手段は、回転子と固定子の間で相互作用をするモータにあって、固定子を二分割し、回転子が回転すると共に、二分割した固定子が、固定を離れ、回転子の回転に抗せず、移動自在とする。
この三体の間で相互作用をさせる三体モータを構築することを手段とする。
【００１５】第二の課題である請求項２の三体モータを具現する手段は、上記二分割した固定子が無限円で平行移動するのを、二つの同心円とし、この二つの同心円の間に、回転子を構築することにより、筒状の三体モータを具現することが可能となった。
【００１６】第三の課題である三体モータを具現する土台としての回転体を構築する手段は、太陽歯車と内歯大歯車と遊星歯車と遊星歯車支持円盤の四体から成る遊星歯車群にあって、加えるに。
第一に、遊星歯車支持円盤外周部に遊星歯車支持円盤と一体する歯車を構築し、これを地動歯車とする、この地動歯車と、上記内歯大歯車との間を銀河とし、内歯大歯車と地動歯車を相互作用させ、連動させる歯車を織星歯車とする。
第二に、織星歯車支持円盤を太陽歯車と同心とする、天道盤とする。
第三に、太陽歯車と同軸とする且つ織星歯車と連動する歯車を第一の歯車とする。
この三体の歯車群と遊星歯車群の四体を加えた七体の歯車群を銀河歯車とする。
【００１７】第四の課題である、銀河歯車群に三体モータを構築する手段として、織星歯車とモータの電機子である回転子を一体とし、内歯大歯車と一体とする一方の磁極と、地動歯車と一体とする他方の磁極を構築し、三体モータである銀河モータを構成することを手段とする。
【００１８】第五の課題である、遊星歯車群に三体モータを構築する手段として、遊星歯車に電機子である回転子を具備し、内歯大歯車に一方の磁極を具備し、太陽歯車に他方の磁極を具備し、三体モータである遊星モータを構築することを手段とする。
【００１９】第六の課題である、三体モータの入力と出力の両方を可能とする回帰モータを具現する手段として、上記銀河歯車内に遊星モータと銀河モータを構築することを手段とする。
【００２０】第七の課題である銀河歯車に力を入力する手段は、固定子と第一の歯車を支持する、第一の車輪の間で相互作用し、第一の車輪に力を印加するモータであることを手段とする。
【００２１】第八の課題である遊星歯車群に出力する手段は、固定子と内歯大歯車の間で相互作用する発電機を具備することを手段とする。
【発明の効果】
【００２２】請求項１の本発明の効果は、回転子と固定子からなるモータの、固定子を固定から外し、上記モータの回転子が回転すると同時に、平行移動する二体の平行体とすることを特徴とする。
この二体の平行移動体と回転子を含むモータを三体モータとし、この三体の間で電磁相互作用をさせることを特徴とする本発明の効果は、上記三体モータにより、発生する電磁気力の電、磁、力のうち、力を抗力として発生させない効果がある。
従来の発電機は、発電時の電機子と磁子の差速により、発電すると同時に抗力が発生する。
これが発電機を回転させる投入エネルギーと相殺する。
他方、トランスは一時側のコイル交番電流により鉄心に、交番磁束を発生させ、二次側のコイルに交流発電させる、この際に力は表面に現れない。
このために、エネルギー消費は損を除いて無い。
すなわち発電は磁束の極性の変化により発電し、その際発生する力に抗さなければ、エネルギー消費が発生しないという特徴がある。
三体モータは電機子の移動と同時に同じ方向に磁極が抵抗なく自由移動する構造により、発電時の抗力が発生しない。
投入エネルギーがベアリング損、風損程度ですむ。
その上で、回転子を回転させるための投入エネルギーは、発電以外の駆動力として更に利用できる。
すなわち、本発明の効果の第１は、発電機を回転させるためのエネルギーがベアリング損、風損程度で済む。
第二に駆動モータとして了する特は、内部誘導発電により、発生する電力は駆動力電源に印加でき、抗力が無いため駆動モータのトルクが高速回転になっても変わらない、省エネルギー駆動モータが具現できる。
【００２３】請求項２の本発明の効果は、三体モータの二体が平行移動する平行体を、無限円と捕らえ、二円を同心円内に構築し、二円の間に回転子軸中心を置くことにより、円筒状の中に三体モータを具現することが出来、産業上実用可能となった。
【００２４】請求項３の本発明の効果は、三体モータを構築する土台である銀河歯車に掛り、銀河歯車駆動力は、銀河歯車内の三体モータを、稼働させることに係わりなく、駆動力を伝達することが可能となった。
詳しくは、太陽歯車と、遊星歯車と、遊星歯車支持円盤と、内歯大歯車との四体からなる遊星歯車群にあって、遊星歯車支持円盤と一体とし、遊星歯車支持円盤の外周部に、歯車を一体構造として取り付、地動歯車とする。この地動歯車と内歯大歯車との間を銀河とし、上記二体を相互作用させる歯車を織星歯車とし、太陽歯車と同軸中心上に中心を持つ、織星歯車支持円盤を天動盤とし、太陽歯車と軸中心を同じくし、織星歯車と連動する歯車を第一の歯車とする。
この織星歯車と天動盤と第一の歯車の三体を銀河歯車する。
前記遊星歯車群四体と銀河歯車三体を加えた七対を銀河歯車群とする。
第一の歯車と一体構造で、外部から、銀河歯車群に駆動力を入力する車輪を、第一の車輪とする。
太陽歯車を固定子とすると、第一の車輪から入力した力は、銀河歯車を経過し、遊星歯車群の内歯大歯車から駆動力を出力することが可能となる。この際に回転数とトルクは、入力と出力が同じ程度に歯数の組み合わせが可能となる。
これにより銀河歯車軍の中に少なくとも一台以上の多数の三体モータが組み込み可能となった。地動盤と第一の歯車が一体となった構造でも効果は同じである。
【００２５】請求項４の銀河歯車群内の織星歯車と内歯大歯車と地動歯車の三体が相互作用する三体モータである銀河モータの、本発明の効果は、構造が、一体が織星歯車を回転子とする。
二体は内歯大歯車と地動歯車と回転軸中心を同じくし、互いに円平行移動する二磁極を、回転子に抗することなき自由回転として構築する。
これによる三体で、三体モータを構成する。
第一の効果は、発電時差速による発電抗力が発生しない効果がある。
第二の効果は、銀河歯車の入力回転駆動力を発電で消費することなく、遊星歯車を経て外部に出力、伝達できる効果がある。
【００２６】請求項５の三体モータを構成する遊星歯車群の、一体が回転子電機子と遊星歯車とで構成され、他の二体はそれぞれの磁極回転中心が内歯大歯車と太陽歯車と同軸回転中心とし、回転子電機子発電時の発生する抗力に抗しない自由回転としつつ、この三体で相互作用する遊星モータを構成する。
この遊星歯車三体モータの効果は、
第一に、三体モータである遊星モータは、発電時の相互作用がコイル内を通過する磁極の変化により電力が発生し、その際発生する力は、相互作用する相手が、回転子に抗することなく回転することにより、抗力を生じなく、力の発電抵抗が無状態で回転子が回転しつつ発電する効果がある。
第二に、遊星モータ電気子回転駆動力は発電に消費されること無く、歯車群として外部、あるいは次の端、他の段に伝達供給される効果がある。
【００２７】請求項６の銀河歯車群の中に銀河モータと遊星モータを具備する、銀河回帰モータの効果は、
第一に少なくとも二つのモータを具備することが可能であり、これにより、発電のみならず、発電と駆動とモータ利用法方を同時に作用させることも可能となる。
第二に下り坂と減速時の回生モータとして利用できる。
第三に三体モータの駆動力回路の駆動力に抗することなく、同三体モータ電機子内で発生する発電が、電力は駆動力電流に印加相乗効果を発生し、駆動力に抗する抗力は発生しないため、回転が上がれば上がるほど省電力トルクアップの駆動モータとしての効果がある。
第四に発電の一部を駆動モータに印加すると同時に他電源にも利用できる移動空間の発電エネルギーを固定子空間に回帰させる、回帰モータとしての効果もある。
【００２８】請求項７の銀河モータの第一の車輪と固定子ハウジングとの間でモータを構成することにより、第一の車輪に磁石を一体とし、固定子ハウジングにコイルを具備することが可能となる、これによる効果は、
第一に、モータの配電構造がロータとか整流子とかスイベルを必要としない、簡素化になる。
第二に、電動モータの代わりにエンジンでも装着が容易に出来る。
第三に、三体モータを内蔵した、容易なエネルギー伝達歯車としての銀河ギアが提供できる。
【００２９】請求項８本発明の効果は出力軸回転子であるインターナルギアに磁石を装着し、固定子であるハウジングに発電機電機子のコイルを装着し、ハウジングとインターナルギアの間で、発電機が構成される。
これにより入力エネルギーを、銀河ギアを介し発電機に伝えることができる。
【発明を実施するための最良の形態】以下図面を用いて本発明を実施する最良の方法を説明する。
【実施の形態１】
【００３０】実施の形態１は、図１を用いて説明する。
励磁磁鉄１８芯に巻かれたコイル５で構成された電機子２１であるモータ回転子１はＮ磁極３とＳ磁極２の間の回転中心４で回転する。
回転によりコイル５内に磁束の磁極が交番する。
この際発生する電流と磁束と力の内、電流は外部で利用し、磁朿方向は逆で、力は、相手である磁石２と磁石３がフリーに平行スライド移動するため、回転子１に抗力が発生しない。
【実施の形態２】
【００３１】実施の形態２は、図２を用いて説明する。
二つの並行する大円であるＳ磁極２とＮ磁極３が磁極回転中心６を同じくして構築されている。この二磁極の間を銀河とし、この銀河に回転軸４を具備する回転子１が構築されている。回転子１内のコイル５が回転子１の回転する際に、上記磁極を跨ぎ、その際コイル５内の誘導磁束が交番し、コイル内に電磁気力が発生する。
上記二磁極はコイル５から発生する力に抗せず磁極回転軸６を中心に自由回転する構造により差速が無く移動し、効力が発生しない。
【実施の形態３】
【００３２】実施の形態３は、図３を用いて記述する。
太陽歯車７と内歯大歯車８との間に小歯車である遊星歯車９を具備し、小歯車支持円盤である地動盤１０との四体で構成する遊星歯車群１１において、上記地動盤外周部に歯車を形成し、地動歯車１２とし、上記内歯大歯車８と地動歯車１２を相互作用させる小歯車を織星歯車１３とし、内歯大歯車８と地動歯車１２と織星歯車１３で銀河１４を構成する。
上記織星歯車１３の支持円盤を天動盤１５とし、織星歯車１３に力を印加する
歯車を太陽歯車７と同軸とする第一の歯車１６とする、７体で構成する歯車群を銀河歯車群１７とする。
図３は地動歯車１２と第一の歯車１６が一体と成った構造を示し、効果は銀河歯車の構造をより単純化する効果がある。
【実施の形態４】
【００３３】実施の形態４は図４を用いて記述する。
銀河歯車群１７内である織星歯車１３と内歯大歯車８と地動歯車１２の三対が相互作用する請求項一の三体モータである。
織星歯車１３が回転子１であり、内歯大歯車８と地動歯車１２と同軸６で、回転子１の織星歯車１３に抗せず、自由回転する二体の磁極２と磁極３と上記織星歯車１３で構成する三体モータである銀河モータ２２。
図は外部から力を入力する手段である第一の車輪２３と一体の第一の歯車１６と、遊星歯車支持円盤である地動盤１０外周部に一体装着される地動歯車１２が共用している。
【実施の形態５】
【００３４】実施の形態５は、図５を用いて記述する。
図５は請求項１の三体モータを遊星歯車群１１に組み込んだ図を示す。
三体の内の一つは遊星歯車９と一体構造とする励磁磁鉄１８に巻かれたコイル５とで構成される電機子２１を回転子１とする。
二体の磁極２と磁極３が内歯大歯車８と太陽歯車７と一体構造か又は回転中心６で自在回転する構造で、且つ回転中心６を、上記太陽歯車７と内歯大歯車８と同じくする構造である。
上記磁極２と磁極３の二体と少なくとも一つの回転子１で構成される三体モータが、遊星歯車群１１の中に構成されるモータを遊星モータ２４とする。
配電は図示しないがスイベル、ローター、ブラシなどを経て外部と通電される。
【実施の形態６】
【００３５】実施の形態６は図６を用いて記述する。
図６は銀河歯車群１７の中に請求項３の銀河モータ２２と請求項４の遊星モータ２４を具備するモータ群である銀河回帰モータ２５の透し図である。
図６は固定子を銀河歯車中心の回転軸と、且つ銀河歯車回転軸と一体の太陽歯車７中心の軸としているが、固定子は内歯大歯車でも、地動盤でも三体モータは変わらない。
図６は遊星歯車群１１太陽歯車７を固定子としている。
太陽歯車７軸中心と回転軸中心を同じくし、固定子である上記軸とベアリングを介して、第一の車輪２３が構築されている。
外部から力を入力する手段である第一の車輪２３は、図示しないが、プーリーでも歯車でも、カップリングなどの力の繋ぎであっても効果は同じである。
第一の車輪２３と一体で第一の歯車１６が構築されている。第一の歯車１６は、銀河中心に回転軸中心を持つ織星歯車１３と連動している。
この二つの歯車の間に他の動力伝達機構、たとえば、ベルト、チィエーンなどであっても三体モータの構成は可能である。
織星歯車支持円盤である天道盤１５は回転中心を太陽歯車回転軸中心６と同じくして構築される。織星歯車１３は内歯大歯車８に駆動力を伝達する。織星歯車１３には三体モータの一対が具備されえる。図６では励磁磁鉄１８にコイル５が巻いてある電機子２１で構成されている。この電機子２１と０．５ミリ程度の隙間１９を隔てて、三体モータの二体が構築されている。この二体の磁極は図示しないがコイルをはさむ構造になっていても良い。この二体の回転中心は太陽歯車軸中心６と同じである。この二体はそれぞれ内歯大歯車８と地動盤１０と一体であるか、又は軸６中心を同じくして自由回転体であっても効果は同じである。
銀河モータはこの三体で構成される。
図６は第一の歯車１６が遊星歯車支持円盤である地銅盤１０と一体化して構築されている。
遊星歯東９に電機子２１を一体構造で装着し、この電機子２１を一体とする三体モータが構築される。他の二体の内の一つの磁極は内歯大歯車８と同体とし、他の磁極は太陽歯車と同体とする。二対の磁極は上記太陽歯車、内場大歯車と一体でなくとも、回転軸を同じくして、自由回転構造でも効果は同じである図は銀河歯車と共用構造となっている。こうして遊星モータが三体モータとして、遊星歯車内に構築し、それぞれの歯車が穂地電と駆動モータとして供することが可能となった。
配電は図示されないがスイベルロータブラシを解して外部、或いはモータ同士に配線されている。
【実施の形態７】
【００３５】実施の形態７は、図７を用いて記述する。銀河モータの第一の車輪２３と固定子２６の間で相互作用するモータ２７を具備する銀河モータ２２。
内歯大歯車。第一の車輪、固定子それぞれを繋いで多段にすることも可能である。
【実施の形態８】
【００３６】実施の形態８は、図８を用いて記述する。
図８は銀河モータの内歯大歯車８と固定子２６の間で相互作用するモータを具備する遊星モータ２４。
【図面の簡単な説明】
【００３７】
【図１】は実施の形態１に掛かる三体モータを説明する平行スライドモータの図である。
【００３８】
【図２】は実施の形態２に掛かる三体モータである銀河モータの側面図である。
【００３９】
【図３】は実施の形態３に掛かる銀河歯車群の断面図である。
【００４０】
【図４】は実施の形態４に掛かる銀河歯車群と銀河モータの断面図である。
【００４１】
【図５】は実施の形態５に掛かる銀河歯車群の中の遊星モータと銀河モータの断面図である。
【００４２】
【図６】は実施の形態６に掛かる銀河回帰モータの断面図である。
【００４３】
【図７】は実施の形態７に掛かる銀河モータの断面図である。
【００４４】
【図８】は実施の形態８に掛かる遊星モータの断面図である。
【符号の説明】
【００４５】１．…回転子
２．…Ｓ磁極
３．…Ｎ磁極
４．…回転子回転中心
５．…コイル
６．…磁極回転中心
７．…太陽歯車
８．…内歯大歯車
９．…遊星歯車
１０．…地動盤
１１．…遊星歯車群
１２．…地動歯車
１３．…織星歯車
１４．…銀河
１５．…天道盤
１６．…第一の歯車
１７．…銀河歯車群
１８．…励磁磁鉄
１９．…隙間
２０．…三体モータ
２１．…電機子
２２．…銀河モータ
２３．…第一の車輪
２４．…遊星モータ
２５．…銀河回帰モータ
２６．…固定子
２７．…モータ
【図１】
2010193697.tif 000003
【図２】
2010193697.tif 000004
【図３】
2010193697.tif 000005
【図４】
2010193697.tif 000006
【図５】
2010193697.tif 000007
【図６】
2010193697.tif 000008
【図７】
2010193697.tif 000009
【図８】
2010193697.tif 000010